(57)【要約】【課題】  住戸内の様々な状況に対応するセキュリティ状況を各種設定することによって、外出するものが安心して外出できるホームセキュリティシステムを提供すること。【解決手段】  住戸内または住戸外の異常を検知する各種センサ３ａ〜３ｄと、前記各種センサの出力を監視し、異常を検出すると、所定の警報出力または通報出力を発するホームコントローラ２と、居住者が留守の場合に前記ホームコントローラを作動状態に設定する設定手段とを有するホームセキュリティシステム１において、前記ホームセキュリティシステムは、在宅者を認識する認識手段５ａ〜５ｂを備え、前記ホームコントローラは、在宅する居住者の組み合わせに応じて、使用するセンサと、該センサが異常を検出した際の出力の種別を複数定めたセキュリティモード設定手段２ａを備え、前記認識手段が認識した在宅者の組み合わせに基づいて、対応するセキュリティモードを有効とするようになす。【選択図】        図１
2005056261.tif 000002
【特許請求の範囲】
【請求項１】
住戸内および／または住戸外の異常を検知する各種センサと、
前記各種センサの出力を監視し、異常を検出すると、所定の警報出力または通報出力を発するホームコントローラと、
居住者が留守の場合に前記ホームコントローラを作動状態に設定する設定手段とを有するホームセキュリティシステムにおいて、
さらに在宅者を認識する認識手段を備え、
前記ホームコントローラは、在宅する居住者の組み合わせに応じて、使用するセンサと、該センサが異常を検出した際の出力の種別を複数定めたセキュリティモード設定手段を備え、前記認識手段が認識した在宅者の組み合わせに基づいて、対応するセキュリティモードを有効とするようになしたことを特徴とするホームセキュリティシステム。
【請求項２】
前記セキュリティモード設定手段は、使用するセンサと、該センサが異常を検出した際の出力の種別を設定した制御テーブルとからなり、該制御テーブルには在宅する居住者の組み合わせに応じた複数のセキュリティモード毎に、使用するセンサと、該センサが異常を検出した際の出力の種別を設定するようになしたことを特徴とする請求項１に記載のホームセキュリティシステム。
【請求項３】
前記ホームコントローラは、前記認識手段が認識した在宅者の組み合わせに応じて、前記制御テーブルから対応するセキュリティモードを選択し、制御テーブルに設定されたセンサ出力の監視を行い、異常を検出した場合には、前記設定された所定の出力を発することを特徴とする請求項１又は２に記載のホームセキュリティシステム。
【請求項４】
前記認識手段は、ＩＤコードを有する識別端子と、該識別端子のＩＤコードを認識する認識装置とからなることを特徴とする請求項１〜３の何れか１項に記載のホームセキュリティシステム。
【請求項５】
前記認識手段は更に、手動で住戸内のセキュリティ環境の変更及び各種設定変更を行うことのできる操作部を有することを特徴とする請求項１〜４の何れか１項に記載のホームセキュリティシステム。
【請求項６】
前記セキュリティモードは留守宅警戒モードを含み、該留守宅警戒モードにあっては、ホームコントローラにより、少なくとも火災あるいはガス漏れ等の住戸内の異常を検知するセンサと、不審者あるいは侵入者を検知する防犯センサと、訪問者を検知するセンサの出力を監視し、上記各センサの異常が検出された際に、所定の警報出力または通報出力を発するようになしたことを特徴とする請求項１〜３の何れか１項に記載のホームセキュリティシステム。
【請求項７】
前記セキュリティモードは子供在宅警戒モードを含み、該子供在宅警戒モードにあっては、ホームコントローラにより、少なくとも火災あるいはガス漏れ等の住戸内の異常を検知するセンサと、訪問者を検知するセンサの出力を監視し、上記各センサの異常が検出された際に、所定の警報出力または通報出力を発するようになしたことを特徴とする請求項１〜３の何れか１項に記載のホームセキュリティシステム。
【請求項８】
前記セキュリティモードは老人在宅警戒モードを含み、該老人在宅警戒モードにあっては、ホームコントローラにより、少なくとも火災あるいはガス漏れ等の住戸内の異常を検知するセンサと、訪問者を検知するセンサの出力を監視し、上記各センサの異常が検出された際に、所定の警報出力または通報出力を発するようになしたことを特徴とする請求項１〜３の何れか１項に記載のホームセキュリティシステム。
【請求項９】
前記セキュリティモードはペット警戒モードを含み、該ペット警戒モードにあっては、ホームコントローラにより、少なくとも火災あるいはガス漏れ等の住戸内の異常を検知するセンサと、不審者あるいは侵入者を検知する防犯センサと、訪問者を検知するセンサの出力を監視し、上記各センサの異常が検出された際に、所定の警報出力または通報出力を発するようになしたことを特徴とする請求項１〜３の何れか１項に記載のホームセキュリティシステム。
【請求項１０】
前記ホームセキュリティシステムは、訪問者を検知するドアホンを備えており、前記セキュリティモードにおいて子供在宅警戒モードが設定されている場合には訪問者の来訪をホームコントローラを介して所定の連絡先に転送するようになしたことを特徴とする請求項７に記載のホームセキュリティシステム。
【請求項１１】
前記ホームセキュリティシステムは、訪問者を検知するドアホンと、該ドアホンから受け取った画像あるいは音声を記憶しておく記憶手段を備えており、前記セキュリティモードにおいて老人在宅警戒モードが設定されている場合には訪問者を後で確認できるように画像あるいは音声を前記記憶手段に記憶しておくようになしたことを特徴とする請求項８に記載のホームセキュリティシステム。
【発明の詳細な説明】
【技術分野】
【０００１】
本発明はホームセキュリティシステムに関し、特に住戸内の様々な状況に応じてセキュリティ環境を設定できるホームセキュリティシステムに関する。
【背景技術】
【０００２】
昨今は一般の市民生活の中においても様々なアクシデントに見舞われることが多くなり、それに伴って安全の確保に対する関心は近年急速に高まってきている。そのような背景から各家庭の安全を守るために、ホームセキュリティシステムが注目され、現在は一般の家庭においても広く普及し始めている。
【０００３】
現在のホームセキュリティは、一般に宅内に設置されたホームコントローラと呼ばれる機器により管理され、住宅のドアや窓などに設置された各種センサの発信信号に応じて、警報を鳴らして不審者を威嚇したり、あらかじめ登録されていた電話番号へ通知を行ったりする。またこのようなシステムでは、帰宅時や外出時にセキュリティモードを在宅モードや留守宅警戒モードなどに手動で切り換えることができ、在宅時や外出時に適したセキュリティレベルに設定することができる。
【０００４】
ここで本発明に係わる従来技術として、下記特許文献１及び２に開示のものを説明する。
特許文献１には、ドアの施錠に連動する警戒設定スイッチと複数の防犯センサからの入力を調べることにより防犯の警戒設定の完了、未完了を判断し、その結果に基づき戸外に設けた表示灯を点灯あるいは点滅させることにより警戒設定を確認するようになした防犯機能付住戸インターホン装置が開示されている。
【０００５】
この点について、更に詳しく述べると、前記インターホン装置は、ドアの施錠に連動する警戒設定スイッチから警戒設定した場合の設定入力を受信して警戒設定要求を出力する設定入力手段と、複数系統のセンサの状態を監視して防犯センサの状態を監視して防犯センサ状態を出力するセンサ入力監視手段と、設定入力手段からの警戒設定要求とセンサ入力監視手段からの防犯センサ状態により警戒設定が完了と判断した場合、表示灯の点灯指示を出力する設定完了判断手段と、その点灯指示により戸外に設置された表示灯を点灯させる表示灯制御手段とを備えており、また、該警戒設定が未完了と判断した場合は表示灯の点滅指示を出力する設定未完了判断手段と、その点滅指示により戸外に設置された表示灯を点滅させる表示灯制御手段とを備えている。
【０００６】
特許文献１に開示の防犯機能付き住戸インターホン装置は、上述のような構成により、防犯センサ等のホームセキュリティシステムの起動あるいは解除設定を行っている。
【０００７】
また、特許文献２には、複数の防犯センサと、前記防犯センサ各々の監視／不監視の設定が可能で、監視時に前記防犯センサが働いた場合に警報を発するホームセキュリティ手段と、複数の前記防犯センサのうちの任意の前記防犯センサの監視／不監視の設定が可能で前記ホームセキュリティ手段に設定信号を送る設定手段及び前記ホームセキュリティ手段からの監視状態の信号をもとに任意の前記防犯センサの監視／不監視の状態を表示する指示手段を備えた端末手段、からなるホームセキュリティ装置が開示されている。
【０００８】
特許文献２に開示のホームセキュリティ装置は、上述のような構成により、複数の防犯センサの監視／不監視の設定が容易にでき、また、玄関等に端末装置を設置することにより、外出及び帰宅時のセキュリティの設定、解除の確認及び誤発送を防ぐことができるという効果を奏するものである。
【特許文献１】特開平１０−３０７９７６号公報
【特許文献２】特許第２９９０５２３号公報
【発明の開示】
【発明が解決しようとする課題】
【０００９】
しかしながら、上記特許文献１あるいは２に開示されたようなホームセキュリティシステムでは、住戸に誰もいない留守の場合にのみシステムの起動がなされており、例えば一般家庭においては、在宅時であっても、例えば家主が不在で老人やあるいは子供だけしか在宅していない場合においては、いくつかのセキュリティシステムを作動したほうがよい場合がある。そのような場合においては上記従来技術のようなホームセキュリティシステムではシステムを稼動させることはできず、結果として、家主等は不安を残したまま外出しなければならなくなってしまう。
【００１０】
また、自宅にペットを飼っている住戸の場合においては、人感センサ等を使用するわけにはいかず、結果として、一連のホームセキュリティシステム全体を稼動できない状態に陥ってしまい、その間の住戸の安全を確保することができない。
【００１１】
本発明者は、上記従来技術の問題点に鑑み、住戸に関する様々な状況を考慮して、それに対応した安全を確保することができるホームセキュリティシステムを種々検討した結果、住戸の中に誰がいるかによってホームセキュリティシステムの各種設定を変えることができるようになせば従来例の有する問題点をすべて解決できることを見出し、本発明を完成するに至ったものである。
【００１２】
すなわち、本発明の目的は、住戸の様々な状況に対応してセキュリティ状況を各種設定することによって、外出するものが安心して外出できるホームセキュリティシステムを提供することにある。
【課題を解決するための手段】
【００１３】
本発明は上述の課題を考慮してなされたものであり、前提条件として、各人はＩＤカード、ＩＣタグ等の認証手段を持っており、更に必要に応じてペットもＩＣタグを取り付けられているものとする。そして、本願の請求項１に係るホームセキュリティシステムは、住戸内および／または住戸外の異常を検知する各種センサと、
前記各種センサの出力を監視し、異常を検出すると、所定の警報出力または通報出力を発するホームコントローラと、
居住者が留守の場合に前記ホームコントローラを作動状態に設定する設定手段とを有するホームセキュリティシステムにおいて、
さらに、在宅者を認識する認識手段を備え、
前記ホームコントローラは、在宅する居住者の組み合わせに応じて、使用するセンサと、該センサが異常を検出した際の出力の種別を複数定めたセキュリティモード設定手段を備え、前記認識手段が認識した在宅者の組み合わせに基づいて、対応するセキュリティモードを有効とするようになしたことを特徴とするホームセキュリティシステムが提供される。
【００１４】
本願の請求項２および／または３に係るホームセキュリティシステムは、前記セキュリティモード設定手段が、使用するセンサと、該センサが異常を検出した際の出力の種別を設定した制御テーブルとからなり、該制御テーブルには在宅する居住者の組み合わせに応じた複数のセキュリティモード毎に、使用するセンサと、該センサが異常を検出した際の出力の種別を設定するようになし、前記ホームコントローラは、前記認識手段が認識した在宅者の組み合わせに応じて、前記制御テーブルから対応するセキュリティモードを選択し、制御テーブルに設定されたセンサ出力の監視を行い、異常を検出した場合には、前記設定された所定の出力を発することを特徴とするホームセキュリティシステムを提供する。
【００１５】
また、本願の請求項４に係るホームセキュリティシステムは、前記認識手段が、ＩＤコードを有する識別端子と、該識別端子のＩＤコードを認識する認識装置とからなることを特徴とするホームセキュリティシステムが提供される。
【００１６】
更に、本願の請求項５に係るホームセキュリティシステムは、前記認識手段が更に、手動で住戸内のセキュリティ環境の変更及び各種設定変更を行うことのできる操作部を有することを特徴とするホームセキュリティシステムが提供される。
【００１７】
更にまた、本願の請求項６および／または９に係るホームセキュリティシステムは、前記セキュリティモードが留守宅警戒モードおよび／またはペット警戒モードを含み、該留守宅警戒モードおよび／またはペット警戒モードにあっては、ホームコントローラにより、少なくとも火災あるいはガス漏れ等の住戸内の異常を検知するセンサと、不審者あるいは侵入者を検知する防犯センサと、訪問者を検知するセンサの出力を監視し、上記各センサの異常が検出された際に、所定の警報出力または通報出力を発するようになしたことを特徴とするホームセキュリティシステムが提供される。
更に、本願の請求項７および／または８に係るホームセキュリティシステムは、前記セキュリティモードが子供在宅警戒モードおよび／または老人在宅警戒モードを含み、該子供在宅警戒モードおよび／または老人在宅警戒モードにあっては、ホームコントローラにより、少なくとも火災あるいはガス漏れ等の住戸内の異常を検知するセンサと、訪問者を検知するセンサの出力を監視し、上記各センサの異常が検出された際に、所定の警報出力または通報出力を発するようになしたことを特徴とするホームセキュリティシステムが提供される。
【００１８】
加えて、本願の請求項１０および／または１１に係るホームセキュリティシステムは、前記ホームセキュリティシステムが、訪問者を検知するドアホンと、該ドアホンから受け取った画像あるいは音声を記憶しておく記憶手段を備えており、前記セキュリティモードにおいて子供在宅警戒モードが設定されている場合には訪問者の来訪をホームコントローラを介して所定の連絡先に転送するようになし、さらに前記セキュリティモードにおいて老人在宅警戒モードが設定されている場合には訪問者を後で確認できるように画像あるいは音声を前記記憶手段に記憶しておくようになしたことを特徴とするホームセキュリティシステムを提供する。
【発明の効果】
【００１９】
本願の請求項１に係るホームセキュリティシステムの構成によれば、前記前提条件のもと、上記のような各種セキュリティが、認識手段によって在宅者を認識することによって、モード設定手段で設定された在宅者に応じたセキュリティモードを選択できるようになる。つまり、ユーザの家族構成により、在宅者が誰であるかによって最も適したセキュリティを選択施行するため、住戸内の状況に応じた最も適したセキュリティ状態を維持することができるようになる。
【００２０】
本願の請求項２および／または３に係るホームセキュリティシステムの構成によれば、ホームコントローラで在宅者の認識がリアルタイムで行われ、制御テーブルが選択されるため、いちいち稼動させるセキュリティ要素を選択する必要がなく、在宅者の組み合わせ等によって自動でセキュリティ環境を変更するようなセキュリティシステムが提供される。
【００２１】
本願の請求項４に係るホームセキュリティシステムの構成によれば、帰宅・外出時において、ＩＤを入力するだけで、簡単にセキュリティ環境を変更できるうえ、住戸内の家族全員に異なったＩＤを与えれば、セキュリティシステムは、ＩＤの認識装置から、リアルタイムに住戸内の在宅者状況を認識できるようになり、在宅者状況の入力が容易なセキュリティシステムを提供することができる。
【００２２】
本願の請求項５に係るホームセキュリティシステムの構成によれば、外出するものが自分の外出する旨をセキュリティシステムに例えばボタン１つで通知することができるようになるため、最も簡単に住戸内の状況をセキュリティシステムに通知できるようになる。また、このような操作部を有していれば、各種セキュリティシステムの各モードの設定変更も容易に行えるようにすることもできる。
【００２３】
本願の請求項６〜９に係るホームセキュリティシステムの構成によれば、従来住戸内の在宅者の有無のみでしかセキュリティシステムの監視／不監視の切り換えができなかったものが、従来の在宅モード、留守宅警戒モードに加えて、家主が留守で老人が在宅している状態、子供のみが在宅している状態、ペットを飼っている住戸においてペットのみが在宅である場合においても各々の状態に最も適したセキュリティ環境を提供することができ、以って、家主が外出する際に安心して外出できるようなセキュリティ環境を提供することができる。
【００２４】
本願の請求項１０および／または１１に係るホームセキュリティシステムの構成によれば、子供が訪問者に対して不注意に出迎えてしまったり、老人が大切な訪問者を忘れてしまった場合などにおいても予めドアホンに転送機能や、音声・画像記憶手段を設けておけば未然に防ぐことができる。
【発明を実施するための最良の形態】
【００２５】
以下に本発明の一実施形態の詳細な説明を図面を参照して述べる。ただし、以下の実施形態は本発明の範囲を限定するものではなく、本発明の思想又は本質から逸脱せずに他の具体的な形で実施できるものである。したがって、本発明の範囲を示すものとしては特許請求の範囲全体を参照すべきである。
【実施例】
【００２６】
図1は、本発明の一実施例におけるホームセキュリティシステムの概略システム構成図である。図1に示したホームセキュリティシステム１の中核となるホームコントローラ２には、住戸内の異常を検知する各種センサ３ａ〜３ｄと、電気的に施錠を行う電子錠４と、ＩＤコードを有する識別端子５ｂおよび識別端子５ｂの認識を行う認識装置５ａと、来客者の応対に利用するドアホン６と、公衆電話網９へ電話の発着信を行う家庭電話機７と、ドアホンや家庭電話機などからの音声や画像データを記憶する音声・画像記憶装置８が、有線または無線で接続されている。また、ホームコントローラ２本体は、各種設定の変更を行うことができる操作部と、各種モードを設定するモード設定手段２ａを有している。ただし、本実施例で使用している各種セキュリティ要素は一般的なホームセキュリティシステムが備えている要素であり、この他にも各種センサや、その他のセキュリティ要素を適応させることはもちろん可能であり、また、本実施形態中の要素に関しても適宜変更することができることは言うまでもない。
【００２７】
以下に各セキュリティシステムの構成を詳細に示す。
【００２８】
各種センサ３ａ〜３ｄは、ガス漏れを監視するガスセンサ３ａ、火災の際に発生する煙または熱の発生量を監視する火災センサ３ｂ、人の動きなどを検知する人感センサ３ｃ、ドアや窓などの開閉状態を監視することに用いられるマグネットセンサ３ｄ等で構成され、各センサは検知した情報の出力をホームコントローラ２へ送信する機能を備えている。
【００２９】
電子錠４は、ドアや窓などに設置され、ホームコントローラ２からの出力に従って電気的に施錠を行ったり、解除したりする機能を備える。ちなみに、異常事態に備えて、ドアや窓等にはマグネットセンサ３ｄを備えておく。
【００３０】
ドアホン６は、マイク、スピーカ、カメラモジュールなどで構成される一般的なもので、来客者などがあった場合にホームコントローラ２に音声および動画のデータを送信する機能を備える。
【００３１】
家庭電話機７は、マイク、スピーカなどで構成される一般的なもので、ホームコントローラ２からの出力で制御されるものであり、指定電話番号へ発信し音声または動画データを転送できる機能を備える。また公衆電話網９に接続された一般的な通話時の音声データをホームコントローラへ送信できる機能も備える。
【００３２】
音声・画像記憶装置８は、ハードディスクや磁気テープなどで構成されるもので、ホームコントローラ２から出力される音声および動画データを保持し、記憶できる機能を備え、またホームコントローラ２からの命令により保持しているデータをホームコントローラ２へ出力したり、データ削除する機能を備える。
【００３３】
認識装置５ａと識別端子５ｂは、例えば、カード上の磁気ストライプやＩＣに個別識別情報を記録したＩＤカードと、そのカードのデータを読み取るカードリーダの認識装置から構成されているものや、認識装置からの一定時間の電波を受け、これを電力に変換しＩＣチップを動作させ、個別識別情報を情報識別装置へ送り返すＩＣタグと、ＩＣタグへアンテナから電波を発信し、ＩＣタグからの信号を読み取る認識装置から構成された物などが採用でき、認識装置で読み取った家族情報ＩＤコードを認識し、ホームコントローラへその情報を送信できる装置である。また、認識装置５ａおよび識別端子５ｂはホームコントローラ２、電子錠４と連動し、ＩＤコードを認識することで電気的に施錠を行ったり解除したりする機能も合わせて備える。ただし、ここでは前提条件として住居内の各人が上記のＩＤカード、あるいはＩＣタグ等の識別端子５ｂを持っていることとする。そして、認識手段については、在宅状況を認識できるものであればＩＤコードでなくても適応可能であることは言うまでもなく、また認識方法として後に述べるホームコントローラ２の操作部によって入力、認識するようにすれば認識手段を別途設ける必要はない。
【００３４】
ホームコントローラ２は、接続されたホームセキュリティシステムの中核となるものであり、各機器から送信されてくるデータを受信し、それらの受信データを解析してその解析結果に基づいて各機器へ制御命令を送信する機能を備える。
【００３５】
ホームコントローラ２はソフト的な内部状態として例えば５つの状態をもつ。それは留守宅警戒モード、在宅モード、子供在宅警戒モード、老人在宅警戒モード、ペット警戒モードであり、上記各モードはモード設定手段２ａによって設定・選択されたものであるが、識別端子からの信号を認識した認識装置より送信される家族情報ＩＤコードをもとにこれらの状態の自動切り替えが行える機能を備える。もちろん上記のような様々な認識手段のほかに家主等が手動で各種設定を変更することができる操作部が別途備えられており、この操作部は、主な機能として、各セキュリティ要素の設定変更及び単独使用などの操作を行うものであるが、ＩＤコードによって住戸内の在宅者情報が管理されない場合においては、ユーザの操作によってリアルタイムの在宅情報を入力することで、ＩＤコードなしでの制御ができるようになされていても良いし、ＩＤコードによって制御されている場合においても、ＩＤコードを忘れてしまった場合などの緊急の場合には、在宅状況の変更が行えるようになしていても良い。
【００３６】
５つのセキュリティモードの切り替えの判断に関しては認識装置より送信される家族情報ＩＤデータをもとにするが、それらは主に子供ＩＤ、老人ＩＤ、親ＩＤ、ペットＩＤである。ただし各種切り換えの判断はＩＤ情報だけでなく、上記操作部による変更も行うことができるほか、ペットのように自分でＩＤコードの入力ができない場合においては、ＩＤの各種設定を変更し、ペットＩＤは作らず、操作部から直接設定を行えるようにしても良い。
【００３７】
また、上記各種ＩＤ及びセキュリティモードに関してはモード設定手段２ａによって、必要に応じて追加することも可能であり、例えば両親に関しても母親と父親でセキュリティ環境を変えたいときはＩＤを増やし、それに対応してセキュリティモードを増設することで、より在宅状況に適応したセキュリティ環境を提供することができるようになる。
【００３８】
次に各セキュリティ状態への移行状況及び各種セキュリティ状況の内容を詳細に説明する。図２は本発明の各セキュリティモードの選択状況を示すフローチャートであり、図３は本発明の各セキュリティモードにおけるセンサ等の動作状況を表した図である。ちなみに、図２のフローチャートでは、理解を容易にするため、親、老人、子供、ペットのすべての場合についてのＩＤ取得状況を示しているが、ユーザの家族構成に老人、子供、ペットがいない場合においてはモード設定手段２ａによって、各ＩＤ取得工程を無視することや、あるいはモードの設定を削除することもできる。
【００３９】
まず、ホームコントローラ２の操作部あるいは認識装置５ａに入力が行われると、ステップＳ０１においてそのときの住戸内の在宅状況を検知するため、ホームコントローラ２は現在在宅中であるＩＤを調べる。
【００４０】
次にステップＳ０１で認識されたＩＤの中に親ＩＤがあるか否かをステップＳ０２で調べ、親ＩＤを取得するとステップＳ０４に移り、セキュリティモードを在宅モードに設定し、親ＩＤが検出されなかった場合はステップＳ０３に移行する。
【００４１】
ステップＳ０２において親ＩＤが検出されなかった場合、ステップＳ０３において、在宅者の中に老人がいるか否かを調べる。老人ＩＤが在宅者として取得できた場合、ステップＳ０６に移り、セキュリティモードを老人在宅警戒モードに設定し、在宅者に老人がいない場合は、ステップＳ０５に移行する。
【００４２】
ステップＳ０２及びステップＳ０３で親も老人も在宅していないと認識された場合、ステップＳ０５において在宅者の中に子供がいるか否かを調べる。子供ＩＤが在宅者として取得できた場合はステップＳ０８に移り、セキュリティモードを子供在宅警戒モードに設定し、在宅者に子供がいない場合はステップＳ０７に移行する。
【００４３】
ステップＳ０２、ステップＳ０３、ステップＳ０５において親、老人、子供共に在宅していないと認識した場合、ステップＳ０７においてペットが住戸内にいるか否かを調べる。ペットＩＤが在宅状態であればステップＳ０９に移り、セキュリティモードをペット警戒モードに設定し、ペットも不在であり、つまり在宅者が存在しないと認識されれば、ステップＳ１０において留守宅警戒モードに設定する。
【００４４】
以上のように選択されたモードについて、特にＩＤを認識する順番は、例えば老人が寝たきりである場合などは老人在宅警戒モードのセキュリティ状態をより厳重にしなければならないと考えられることから、必要に応じて変更可能とすることが好ましく、セキュリティモードの優先順位に関してはホームコントローラ２のモード設定手段２ａかあるいは、操作部によって適宜設定することができるようにするとより好ましい。
【００４５】
次に上述で選択されたセキュリティモードの具体的なセキュリティ環境の例を以下に示す。ただし、これはあくまで一例であり、家族構成あるいは家族内の状況に応じて変更可能であることは言うまでもない。
【００４６】
上述のステップＳ０４で在宅モードに設定された場合は、セキュリティ要素中の人感センサ３ｃ、マグネットセンサ３ｄの異常検出は無視されるが、火災センサ３ｂ、ガスセンサ３ａ等の異常が検知されるとアラームが鳴る。この時、登録してある連絡先に自動的に異常の通報は行わない。また、ドアホンの応対の転送も行わない。
【００４７】
上述のステップＳ１０において留守宅警戒モードに設定された場合は、セキュリティ要素中の、ガスセンサ３ａ、火災センサ３ｂ、人感センサ３ｃ、マグネットセンサ３ｄのすべてが稼動し、各種センサから異常を検知した場合、アラームを鳴らしたり、あらかじめ登録してある携帯電話または固定電話１０に公衆電話網９を介して異常を自動的に通報したりする。また、訪問者がドアホンを鳴らした場合、ドアホンからの音声および動画データを家庭電話機を通じてあらかじめ指定された携帯電話または固定電話１０へ公衆電話網９を介して転送する。ちなみに、上で述べた携帯電話又は固定電話１０は各使用用途に応じて、適宜設定変更が可能であり、例えば各種センサに異常が発生した場合にはセキュリティ会社等に連絡が行くように設定しても良いし、ドアホン６で訪問者を検知した場合において、家主が仕事中などで都合が悪い場合等には、母親等の連絡先に接続するようにしても良い。
【００４８】
上述のステップＳ０３において老人在宅警戒モードに設定された場合には、各種センサのマグネットセンサ３ｄ、人感センサ３ｃは稼動せず、ガスセンサ３ａ、火災センサ３ｂのみが稼動し、ドアホン６で訪問者を検知した場合は、ドアホン６からの音声および動画データを自動的に音声・画像記憶装置８へ転送する。また家庭電話機に着信があった場合の音声データに関しても自動的に音声・画像記憶装置８へ転送する。これはドアホン６または家庭電話機の通話内容などを後に再確認できる機能であり、ボタン操作により音声・画像記憶装置８内に保持されている音声および動画データを呼び出し、ホームコントローラ上で音声または動画を確認できるものである。
【００４９】
上述のステップＳ０８において子供在宅警戒モードに設定された場合は、各種センサのマグネットセンサ３ｄ、人感センサ３ｃは稼動せず、ガスセンサ３ａ、火災センサ３ｂのみが稼動し、ドアホン６で訪問者を検知した場合は、ドアホン６からの音声および動画データを家庭電話機を通じてあらかじめ指定された携帯電話又は固定電話１０へ公衆電話網９を介して転送するドアホン転送機能が稼動する。
【００５０】
上述のステップＳ０９においてペット警戒モードに設定された場合は、留守宅警戒モードとほぼ同様で、人感センサ３ｃのみが稼動していないというところだけが留守宅警戒モードと異なるように設定されている。
【００５１】
また上記のような家族情報ＩＤコードをもとにした５つのセキュリティモードの切り替えはデフォルト設定としてホームコントローラに登録されていてもよく、また、モード設定手段２ａから、更なる家族情報ＩＤコードの増設をもとに５つ以上のセキュリティモードの切り替えが行えるように設定変更することも可能である。また、ホームセキュリティシステム１を構成している構成要素の一部だけを利用したい場合、あるいは変更して解除状態にしたい場合には、適宜操作を行うことによって利用・変更することも可能である。
【００５２】
以上のように、本発明によれば、ホームセキュリティシステムがＩＤコードを認識する認識装置によって在宅者を識別でき、以って在宅者に応じたセキュリティモードを選択できる。つまり、家族構成により、在宅者が誰であるかによって、最も適したセキュリティを選択実行するため、住戸内の状況に応じた最も適したセキュリティ状態を維持することができる。
【００５３】
更に、ホームセキュリティシステム内に、モード設定手段によって各種モードを搭載することにより、子供だけ在宅の場合、老人が在宅の場合、ペットだけが在宅の場合において、各種セキュリティ内容が設定されるため、より多くの住戸環境に適応し、住戸内の安全を確保できるホームセキュリティを提供できる。
【図面の簡単な説明】
【００５４】
【図１】本発明の実施形態におけるホームセキュリティの概略システム構成図。
【図２】本発明の各セキュリティモードの選択状況を示すフローチャート。
【図３】本発明の各セキュリティモードにおけるセンサ等の動作状況を表した図。
【符号の説明】
【００５５】
１
１    ホームセキュリティシステム
２    ホームコントローラ
３ａ  ガスセンサ
３ｂ  火災センサ
３ｃ  人感センサ
３ｄ  マグネットセンサ
４    電子錠
５ａ  認識装置
５ｂ  識別端子
６    ドアホン
７    家庭電話機
８    音声・画像記憶装置
９    公衆電話網
１０    携帯電話又は固定電話
【図１】
2005056261.tif 000003
【図２】
2005056261.tif 000004
【図３】
2005056261.tif 000005